(57)【要約】      （修正有）【課題】大小サイズ違いのキャスターをそれぞれ取り付けることが可能な台車を提供する。【解決手段】天板の裏面側に縦リブ５と横リブ６が略十字７に繰り返し形成され、キャスターの座板の下面周辺部に穴を有し、この穴にそれぞれリブに設けられた仮突起を仮止めし、リブに設けられた取付け穴にボルトが螺合される、キャスターの取付け部を構成した台車であって、前記キャスターの取付け部は、大型キャスターと小型キャスターを取り付ける２種類の取付け部からなり、大型キャスターの取付け部１０Ａは、前記縦リブ５に設けられた大型キャスターへの取付け穴９と、同縦リブ５に設けられた大型キャスターへの仮突起８とを備え、前記小型キャスターの取付け部１０Ｂは、前記大型キャスターの取付け部１０Ａの内側にあり、前記横リブ６に設けられた小型キャスターへの仮突起１２と、同横リブ６に設けられた小型キャスターへの取付け穴１１とを備えている。【選択図】図２
2020090207.tif 000002
【特許請求の範囲】
【請求項１】
天板の裏面側に縦リブと横リブが略十字に形成され、キャスターの座板の下面周辺部に穴を有し、この穴にリブに設けられた仮突起を仮止めし、リブに設けられた取付け穴に螺合する、キャスターの取付け部を構成した台車であって、
前記キャスターの取付け部は、大型キャスターと小型キャスターを取り付ける２種類の取付け部からなり、
前記大型キャスターの取付け部は、前記縦リブに設けられた大型キャスターへの取付け穴と、同縦リブに設けられた大型キャスターへの仮突起と、並びに、隣接する縦リブに設けられた大型キャスターへの仮突起と、同縦リブに設けられた大型キャスターへの取付け穴とを備え、
前記小型キャスターの取付け部は、前記大型キャスターの取付け部の内側にあり、前記横リブに並行して設けられた小型キャスターへの仮突起と、同横リブに並行して設けられた小型キャスターへの取付け穴と、並びに、前記横リブに並行して設けられた小型キャスターへの取付け穴と、同横リブに並行して設けられた小型キャスターへの仮突起とを備えた
ことを特徴とする大小サイズ違いのキャスターの取付け構造からなる台車。
【請求項２】
前記大型キャスターの取付け部は、横リブを挟んで縦リブ上に設けられた大型キャスターへの取付け穴と大型キャスターへの仮突起と、並びに同横リブを挟んで縦リブ上に設けられた大型キャスターへの仮突起と大型キャスターへの取付け穴を備え、
前記小型キャスターの取付け部は、前記大型キャスターの取付け部の内側にあり、中間縦リブを挟んで横補助リブ上に設けられた小型キャスターへの仮突起と小型キャスターへの取付け穴と、中間縦リブを挟んで横補助リブ上に設けられた小型キャスターへの取付け穴と小型キャスターへの仮突起
を備えた請求項１記載の大小サイズ違いのキャスターの取付け構造からなる台車。
【発明の詳細な説明】
【技術分野】
【０００１】
本発明は、大型のキャスターの取付け部と小型のキャスターの取付け部を両者有する大小サイズ違いのキャスターの取付け構造を備えた台車に関する。
【背景技術】
【０００２】
従来、台車に対する固定をきわめて簡単に行うキャスターはあるが、裏面に取り付ける大型のキャスターの取付け部と小型のキャスターの取付け部を両者有する大小サイズ違いのキャスターの取付け構造を備えた台車は、開示されていない。
【先行技術文献】
【特許文献】
【０００３】
【特許文献１】特開２０１１−１３６６２９
【発明の概要】
【発明が解決しようとする課題】
【０００４】
しかし、台車の裏面に大小サイズ違いの複数種のキャスターを取り付けた方が好ましい場合もある。
【０００５】
例えば冷蔵庫など背の高い荷物を運ぶときに、台車のキャスターが大きいと、その分荷物の高さも大きくなりエレベーターやドアなどで引っ掛かるため、別の小さいキャスターの台車を用意しなければいけなかった。このように、従来は、大小サイズ違いのキャスターを一台の台車にそれぞれ取り付けるのではなく、大小サイズ違いのキャスターを有する複数台の台車を用意し、異なる荷物に応じて複数台の台車を用意せざるをえなかった。
【０００６】
この発明の目的は、大小サイズ違いのキャスターを一台の台車にそれぞれ取り付けることが可能な台車を提供する点にある。
【課題を解決するための手段】
【０００７】
前記課題を達成するため、本発明は、
天板の裏面側に縦リブと横リブが略十字に形成され、キャスターの座板の下面周辺部に穴を有し、この穴にリブに設けられた仮突起を仮止めし、リブに設けられた取付け穴に螺合する、キャスターの取付け部を構成した台車であって、
前記キャスターの取付け部は、大型キャスターと小型キャスターを取り付ける２種類の取付け部からなり、
前記大型キャスターの取付け部は、前記縦リブに設けられた大型キャスターへの取付け穴と、同縦リブに設けられた大型キャスターへの仮突起と、並びに、隣接する縦リブに設けられた大型キャスターへの仮突起と、同縦リブに設けられた大型キャスターへの取付け穴とを備え、
前記小型キャスターの取付け部は、前記大型キャスターの取付け部の内側にあり、前記横リブに並行して設けられた小型キャスターへの仮突起と、同横リブに並行して設けられた小型キャスターへの取付け穴と、並びに、前記横リブに並行して設けられた小型キャスターへの取付け穴と、同横リブに並行して設けられた小型キャスターへの取付け穴とを備えた
ことを特徴とする台車を採用した。
【０００８】
なお、好ましくは、前記大型キャスターの取付け部は、
横リブを挟んで縦リブ上に設けられた大型キャスターへの取付け穴と大型キャスターへの仮突起と、並びに同横リブを挟んで縦リブ上に設けられた大型キャスターへの仮突起と大型キャスターへの取付け穴を備え、
前記小型キャスターの取付け部は、前記大型キャスターの取付け部の内側にあり、縦リブ間を二分する中間縦リブを挟んで横補助リブ上に設けられた小型キャスターへの仮突起と小型キャスターへの取付け穴と、前記縦リブ間を二分する中間縦リブを挟んで横補助リブ上に設けられた小型キャスターへの取付け穴と小型キャスターへの仮突起
を備えていることが望ましい。
【発明の効果】
【０００９】
従って、この発明が、例えば直径１００ｍｍの大型のキャスターを備えた台車であれば、この大型のキャスターの取付け部に取り付ける場合、縦リブに設けられた仮突起を大型キャスターの穴に嵌入し、同時に隣接する縦リブに設けられた大型キャスターへの取付け穴を螺合する。一方、例えば直径７５ｍｍの小型キャスターを備えた台車にするには、この大型のキャスターの取付け部から例えば直径１００ｍｍのキャスターを取り外し、例えば直径７５ｍｍの小型のキャスターを横リブに並行して設けられた前記小型キャスターの取付け部に取り付ければよい。すなわち、前記横リブと並行して設けられた小型キャスターへの仮突起にキャスターの穴を仮止めし、前記横リブと並行して設けられた小型キャスターへの取付け穴を螺合して、小型キャスターの取付け部とすればよい。
【図面の簡単な説明】
【００１０】
【図１】大型キャスターを取り付けた状態を示す本発明にかかる台車の一実施形態を示す同要部拡大斜視にかかる裏面図である。
【図２】同キャスターを取り外した状態を示す同要部拡大裏面図である。
【図３】小型キャスターを取り付けた状態を示す同要部拡大斜視にかかる裏面図である。
【発明を実施するための形態】
【００１１】
図１は、大型キャスターを取り付けた状態を示す本発明に係る台車の一実施形態を示す同要部拡大斜視裏面図である。
図２は、同キャスターを取り外した状態を示す同要部拡大裏面図である。
図３は、小型キャスターを取り付けた状態を示す本発明に係る台車の一実施形態を示す同要部拡大斜視裏面図である。
【００１２】
図１及び図３において、１は台車であり、２は台車１を構成する天板３の裏面に設けられたキャスターである。キャスター２は、車輪支持脚２１に車輪２２が回転可能に保持された構造になっている。
【００１３】
天板３は合成樹脂の射出成型品で、平面形状が長方形である。
【００１４】
図１〜図３において、キャスター２は天板３の裏面側４に縦リブ５と横リブ６が略十字７に形成されている。一方、キャスター２は座板２３の下面周辺部に穴２３１を有している。この穴２３１に、それぞれリブにおいて設けられた仮突起を仮止めし、リブに設けられた取付け穴にボルト９１が螺合される、キャスターの取付け部を構成している。
【００１５】
前記キャスターの取付け部は、大型キャスターと小型キャスターを取り付ける２種類の取付け部からなり、大型キャスターの取付け部１０Ａと小型キャスターの取付け部１０Ｂとからなっている。
【００１６】
前記大型キャスターの取付け部１０Ａは、前記縦リブ５に設けられた取付け穴９と、同縦リブ５に設けられた仮突起８とを備えている。前記小型キャスターの取付け部１０Ｂは、前記大型キャスターの取付け部１０Ａの内側にあり、中間縦リブ５１を挟んで横補助リブ６１上に設けられた小型キャスターへの仮突起１２と小型キャスターへの取付け穴１１と、中間縦リブ５１を挟んで横補助リブ６２上に設けられた小型キャスターへの取付け穴１１と小型キャスターへの仮突起１２を備えている。
【００１７】
特に、前記大型のキャスターの取付け部１０Ａは、キャスターの座板の斜交いの穴２３１、２３１に対して取付け穴９、９でボルトを螺合し、他の斜交いの穴２３１、２３１に対して仮突起８、８を仮止めする構造である。また前記小型のキャスターの取付け部１０Ｂは、キャスターの座板の斜交いの穴２３１、２３１に対して取付け穴１１、１１でボルトを螺合し、他の斜交いの穴２３１、２３１に対して仮突起１２、１２を仮止めする構造である。
【００１８】
結果、本発明は、大小サイズ違いのキャスターをそれぞれ取り付けることが可能な台車を提供することができた。このことにより、従来であれば、背の高い荷物を運ぶときに、キャスターが大きい台車であれば、エレベーターやドアなどで引っ掛かるために別の小さいキャスターの台車を用意しなければいけないところ、本発明の台車であれば、一台でどちらも兼ね備えることになり、複数の台車を用意せずに一台で済む。
【００１９】
本実施形態の大小サイズ違いのキャスターを取り替える台車は、格別限定されるものではない。
【００２０】
要するに、天板の裏面側に縦リブと横リブが略十字に繰り返し形成され、キャスターの座板の下面周辺部に穴を有し、この穴にそれぞれリブに設けられた仮突起を仮止めし、リブに設けられた取付け穴を螺合する、キャスターの取付け部を構成した台車であって、
前記キャスターの取付け部は、大型キャスターと小型キャスターを取り付ける２種類の取付け部からなり、
前記大型キャスターの取付け部は、前記縦リブに設けられた大型キャスターへの取付け穴と、同縦リブに設けられた大型キャスターへの仮突起とを備えて、
前記小型キャスターの取付け部は、前記大型キャスターの取付け部の内側にあり、前記横リブと並行して設けられた小型キャスターへの取付け穴と、同横リブと並行して設けられた小型キャスターへの仮突起とを備えていれば差し支えない。
【産業上の利用可能性】
【００２１】
本発明は、上記構造なので、天板を有する台車に広く利用することができる。
【符号の説明】
【００２２】
１        台車
２        キャスター
２３      座板
２３１    穴
３        天板
４        裏面側
５        縦リブ
５１      中間縦リブ
６        横リブ
６１      横補助リブ
６２      横補助リブ
７        略十字
８        仮突起
９        取付け穴
９１      ボルト
１０Ａ    大型キャスターの取付け部
１０Ｂ    小型キャスターの取付け部
１１      取付け穴
１２      仮突起
【図１】
2020090207.tif 000003
【図２】
2020090207.tif 000004
【図３】
2020090207.tif 000005